(57)【特許請求の範囲】
【請求項１】
多重アンテナシステムにおける干渉緩和のための制御情報を転送するための端末動作の方法において、
隣接基地局からの干渉に対し、プリコーディング行列インデックス（Ｐｒｅｃｏｄｉｎｇ  Ｍａｔｒｉｘ  Ｉｎｄｅｘ：ＰＭＩ）を決定する過程と、
前記ＰＭＩとコードブック内の他のプリコーディング行列との間における相関値からの相関レベル（ｃｏｒｒｅｌａｔｉｏｎ  ｌｅｖｅｌ）に基づいてプリコーディング行列のサブセットの大きさを決定する過程と、
前記サブセットの大きさと前記ＰＭＩを指示する情報をフィードバックする過程と
を含むことを特徴とする方法。
【請求項２】
多重アンテナシステムにおける干渉緩和のための制御情報を転送するためのサービング基地局動作の方法において、
少なくとも一つ以上の端末からＰＭＩとプリコーディング行列のサブセットの大きさの情報を受信する過程と、
前記少なくとも一つ以上の端末から受信した前記サブセットの大きさの情報を隣接基地局と交換し、前記隣接基地局のプリコーディングを調整（ｃｏｏｒｄｉｎａｔｅ）する過程と
を含むことを特徴とする方法。
【請求項３】
干渉緩和のための制御情報を転送するための多重アンテナシステムにおいて、
隣接基地局からの干渉に対し、プリコーディング行列インデックス（Ｐｒｅｃｏｄｉｎｇ  Ｍａｔｒｉｘ  Ｉｎｄｅｘ：ＰＭＩ）そしてコードブック内の他のプリコーディング行列との間における相関レベルに基づき、サブセットの大きさと前記ＰＭＩの情報をフィードバックする少なくとも一つ以上の端末と、
多数の端末からフィードバックされたサブセットの大きさと前記ＰＭＩの情報に基づいて、前記サブセットの大きさの情報を前記隣接基地局と交換し、サービング基地局と前記隣接基地局のプリコーディングを調整するサービング基地局と
を含むことを特徴とするシステム。
【請求項４】
前記ＰＭＩは、隣接基地局に干渉を最も大きく起こす第１ＰＭＩであるか又は前記隣接基地局に干渉を最も小さく起こす第２ＰＭＩであることを特徴とする請求項１記載の方法。
【請求項５】
前記ＰＭＩそして前記コードブック内の他のプリコーディング行列との間における相関値をそれぞれ決定する過程と、
前記相関値を降順に整列する過程と
を更に含むことを特徴とする請求項１に記載の方法。
【請求項６】
前記サブセットは、多数のｒｅｃｏｍｍｅｎｄｅｄ  プリコーディング行列であるとともに、多数のｒｅｓｔｒｉｃｔｅｄ  プリコーディング行列であることを特徴とする請求項１記載の方法。
【請求項７】
前記サブセットの大きさは、２つの固定された相関レベル（ｎ１、ｎ２）の一つであることを特徴とする請求項１記載の方法。
【請求項８】
前記ＰＭＩは、基地局から受信されたフィードバックポーリングマップ情報（Ｆｅｅｄｂａｃｋ  Ｐｏｌｌｉｎｇ  Ａ−ＭＡＰ  ＩＥ）から指示されることを特徴とする請求項１に記載の方法。
【請求項９】
前記サブセットの大きさは、２つの固定された相関レベル（ｎ１、ｎ２）の一つであることを特徴とする請求項２に記載の方法。
【請求項１０】
前記隣接基地局と調整された少なくとも一つ以上のＰＭＩ使用をビットマップで放送する過程を更に含むことを特徴とする請求項２に記載の方法。
【請求項１１】
前記端末は、ＰＭＩを決定し、
前記ＰＭＩと、前記コードブック内の他のプリコーディング行列との間における相関値からの相関レベルに基づいてＰＭＩサブセットの大きさを決定し、
前記サブセットの大きさと前記ＰＭＩを指示する情報をフィードバックすることを特徴とする請求項３に記載のシステム。
【請求項１２】
前記端末は、前記ＰＭＩそして前記コードブック内の他のプリコーディング行列との間における相関値をそれぞれ決定し、
前記相関値を降順に整列することを特徴とする請求項３に記載のシステム。
【請求項１３】
前記端末は、基地局から受信されたフィードバックポーリングマップ情報に基づき、ＰＭＩを決定することを特徴とする請求項３に記載のシステム。
【請求項１４】
前記ＰＭＩは、隣接基地局に干渉を最も大きく起こす第１ＰＭＩであるか又は隣接基地局に干渉を最も小さく起こす第２ＰＭＩであることを特徴とする請求項３記載のシステム。
【請求項１５】
前記サブセットは、多数のｒｅｃｏｍｍｅｎｄｅｄプリコーディング行列であるとともに多数のｒｅｓｔｒｉｃｔｅｄプリコーディング行列であることを特徴とする請求項３記載のシステム。
【請求項１６】
前記サブセットの大きさは、２つの固定された相関レベル（ｎ１、ｎ２）の一つであることを特徴とする請求項３記載のシステム。
【請求項１７】
多重アンテナシステムにおける干渉緩和のために制御情報を送信する干渉基地局（ＢＳ）の動作方法であって、
プリコーディング行列インデックス（Ｐｒｅｃｏｄｉｎｇ  Ｍａｔｒｉｘ  Ｉｎｄｅｘ：ＰＭＩ）と、対応するＢＳからプリコーディング行列のサブセットの大きさを受信する過程であって、前記サブセットの大きさは、干渉を緩和するために使用される多数のプリコーディング行列を指示する、過程と、
前記サブセットの大きさと前記ＰＭＩを使用して前記サブセットを決定する過程と
を有する動作方法。
【請求項１８】
多重アンテナシステムにおける端末（ＭＳ）のための装置であって、
隣接基地局（ＢＳ）から干渉を緩和するプリコーディング行列インデックス（ＰＭＩ）を決定し、前記ＰＭＩとコードブック内の他の各プリコーディング行列との間の相関値に基づいて、所定の大きさ間でプリコーディング行例のサブセットの大きさを決定するように構成された制御部であって、前記サブセットの大きさは、干渉を緩和するために使用される多数のプリコーディング行列を指示する、制御部と、
前記ＰＭＩとサブセットの大きさを有する情報をフィードバックするように構成された送信機と
を有する装置。
【請求項１９】
多重アンテナシステムにおける基地局（ＢＳ）のための装置であって、
プリコーディング行列インデックス（ＰＭＩ）と、少なくとも一又は二以上の端末からプリコーディング行列のサブセットの大きさを受信するように構成された受信機であって、前記サブセットの大きさは干渉を緩和するために使用される多数のプリコーディング行列を指示する、受信機と、
前記サブセットの大きさの情報を隣接基地局と交換するように構成されたバックホール通信ユニットと、
前記隣接基地局のプリコーディングを調整するように構成された制御部と
を有する装置。
【請求項２０】
多重アンテナシステムにおける基地局（ＢＳ）のための装置であって、
プリコーディング行列インデックス（ＰＭＩ）と、対応基地局からプリコーディング行列のサブセットの大きさを受信するように構成されたバックホール通信ユニットであって、前記サブセットの大きさは干渉を緩和するために使用される多数のプリコーディング行列を指示する、バックホール通信ユニットと、
前記サブセットの大きさと前記ＰＭＩを使用して前記サブセットを決定するように構成された制御部と
を有する装置。
【発明の詳細な説明】
【技術分野】
【０００１】
本発明は多重アンテナシステムに関するものであり、特に多重アンテナシステムにおける干渉緩和のための制御情報を転送するための方法及び装置に関するものである。
【背景技術】
【０００２】
ＬＴＥ（Ｌｏｎｇ  Ｔｅｒｍ  Ｅｖｏｌｕｔｉｏｎ）とＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６標準において、高い周波数効率（ｓｐｅｃｔｒａｌ  ｅｆｆｉｃｉｅｎｃｙ）が得られる直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、「ＯＦＤＭ」と称する）と多重アンテナ（Ｍｕｌｔｉｐｌｅ  Ｉｎｐｕｔ  Ｍｕｌｔｉｐｌｅ  Ｏｕｔｐｕｔ：以下、「ＭＩＭＯ」と称する）技術が導入されつつある。
【０００３】
ＯＦＤＭ基盤システムは、完璧な周波数同期がなされたセル内で多重化使用者間における干渉を受けない。しかし、多重セル環境において、隣接したセル間にセル間干渉（ＩｎｔｅｒＣｅｌｌ  Ｉｎｔｅｒｆｅｒｅｎｃｅ：ＩＣＩ）が生じ、セルの縁にある端末の性能を深刻に落すことになる。
【０００４】
一般的に、セル間干渉の緩和技術は３つの形態があり、干渉ランダム化（ｉｎｔｅｒｆｅｒｅｎｃｅ  ｒａｎｄｏｍｉｚａｔｉｏｎ）、干渉除去（ｉｎｔｅｒｆｅｒｅｎｃｅ  ｃａｎｃｅｌｌａｔｉｏｎ）、そして干渉調整（ｉｎｔｅｒｆｅｒｅｎｃｅ  ｃｏｏｒｄｉｎａｔｉｏｎ）などで区分される。前記干渉ランダム化は、干渉をランダム化してプロセッサ利得（ｐｒｏｃｅｓｓｉｎｇ  ｇａｉｎ）を介して干渉緩和を許容する。前記干渉除去技術は、多重アンテナを技術或いはＩＤＭＡ（Ｉｎｔｅｒｌｅａｖｅｄ  Ｄｉｖｉｓｉｏｎ  Ｍｕｌｔｉｐｌｅ  Ａｃｃｅｓｓ）スキームを使用し、受信機から干渉を除去する技術である。前記干渉調整は、隣接セルにある端末の間にうまく設計された資源調整（ａ  ｗｅｌｌ−ｄｅｓｉｇｎｅｄ  ｃｏｏｒｄｉｎａｔｉｏｎ  ｏｆ  ｒｅｓｏｕｒｃｅ）が干渉を減らし、使用者容量及びカバレッジを向上させることができる。
【０００５】
図１は、従来技術によるＭＩＭＯシステムにおいて、セルの縁にある端末が経験するセル間干渉を示す図である。
【０００６】
前記図１を参照すると、サービング基地局１００と干渉基地局１２０はプリコーディングのための同じコードブックを使用し、バックボーンネットワークを介して連結されていると仮定する。そして、前記サービング基地局１００と前記干渉基地局１２０が同じ周波数帯域を使用してデータを転送する環境において、前記サービング基地局１００のセルの縁に位置する端末１１０は、隣接基地局である前記干渉基地局１２０から干渉を受ける。Ｈ１  １０５は前記サービング基地局１００と前記端末１１０との間におけるチャンネル行列であり、Ｈ２  １１５は前記干渉基地局１２０と前記端末１１０との間に置けるチャンネル行列である。
【０００７】
前記端末１１０は、干渉を緩和させるために、基準信号から干渉を多く起こすプリコーディング行列インデックス（Ｐｒｅｃｏｄｉｎｇ  Ｍａｔｒｉｘ  Ｉｎｄｅｘ：ＰＭＩ）（以下、最悪のＰＭＩと称する）或いは干渉を少なく起こすＰＭＩ（以下、最良のＰＭＩ）を検索する。前記端末１１０は検索された最悪（ｗｏｒｓｔ）のＰＭＩ或いは最良（ｂｅｓｔ）のＰＭＩを前記サービング基地局１００にフィードバックしてもよく、その際、前記サービング基地局１００は前記端末１１０からフィードバックされた最悪のＰＭＩ或いは最良のＰＭＩを前記干渉基地局１２０に知らせる。前記干渉基地局１２０は、自らが使用するＰＭＩのうちフィードバックされた最悪のＰＭＩを制限することで（ＰＭＩ  ｒｅｓｔｒｉｃｔｉｏｎと称する）、或いは前記干渉基地局１２０は、自らが使用するＰＭＩのうちフィードバックされた最良のＰＭＩを使用することで（ＰＭＩ  ｒｅｃｏｍｍｅｎｄａｔｉｏｎと称する）、前記端末１１０の干渉を緩和させてもよい。
【０００８】
しかし、最悪のＰＭＩを除いた他のＰＭＩも前記端末１１０に干渉を起こすことができ、最良のＰＭＩを除いた他のＰＭＩも干渉緩和として動作することができるため、干渉を緩和するために最悪のＰＭＩ或いは最良のＰＭＩのみをフィードバックすることは不十分である。従って、ＰＭＩ  ｒｅｓｔｒｉｃｔｉｏｎ或いはＰＭＩ  ｒｅｃｏｍｍｅｎｄａｔｉｏｎの間、多数のＰＭＩがフィードバックされなければならない。このため、前記端末１１０が前記サービング基地局１００にＰＭＩサブセット（ｓｕｂｓｅｔ）をフィードバックする際、多くのオーバーヘッドが発生し得る。
【０００９】
従って、多重アンテナシステムにおける干渉除去のための効率的なＰＭＩフィードバックの方法及び装置が必要となる。
【先行技術文献】
【特許文献】
【００１０】
【特許文献１】韓国特許出願２００８−１５３５２
【発明の概要】
【発明が解決しようとする課題】
【００１１】
本発明の目的は、多重アンテナシステムにおける干渉除去のための制御情報を効率的に転送するための方法及び装置を提供することにある。
【００１２】
本発明の他の目的は、多重アンテナシステムにおけるＰＭＩフィードバックの際、オーバーヘッドを減らすための方法及び装置を提供することにある。
【課題を解決するための手段】
【００１３】
上述した目的を達成するための本発明の第１見地によると、隣接基地局からの干渉に対して第１プリコーディング行列インデックス（Ｐｒｅｃｏｄｉｎｇ  Ｍａｔｒｉｘ  Ｉｎｄｅｘ：ＰＭＩ）そして第２ＰＭＩのうち一つを決定する過程と、前記第１ＰＭＩそして前記第２ＰＭＩのうち一つと前記コードブック内の他のＰＭＩとの間における相関値からの相関レベル（ｃｏｒｒｅｌａｔｉｏｎ  ｌｅｖｅｌ）に基づいてＰＭＩサブセットの大きさを決定する過程と、前記相関レベルを指示する情報をフィードバックする過程と、を含むことを特徴とする。
【００１４】
上述した目的を達成するための本発明の第２見地によると、多重アンテナシステムにおける干渉緩和のための制御情報を転送するためのサービング基地局動作の方法において、少なくとも一つ以上の端末からＰＭＩサブセットの大きさを指示する相関レベルを受信する過程と、前記少なくとも一つ以上の端末から受信したＰＭＩサブセット情報に基づいて隣の基地局と交換し、前記サービング基地局と前記隣の基地局のＰＭＩ使用を調整する過程と、を含むことを特徴とする。
【００１５】
上述した目的を達成するための本発明の第３見地によると、多重アンテナシステムにおける干渉緩和のための制御情報を転送するための干渉基地局動作の方法において、該当基地局から相関レベル及び第１ＰＭＩ或いは第２ＰＭＩを受信する過程と、前記相関レベル及び前記第１ＰＭＩ或いは前記第２ＰＭＩを利用してＰＭＩサブセットを決定する過程と、を含むことを特徴とする。
【００１６】
上述した目的を達成するための本発明の第４見地によると、干渉緩和のための制御情報を転送するための多重アンテナシステムにおいて、隣接基地局からの干渉に対して第１プリコーディング行列インデックス（Ｐｒｅｃｏｄｉｎｇ  Ｍａｔｒｉｘ  Ｉｎｄｅｘ：ＰＭＩ）そして第２ＰＭＩのうち一つとコードブック内の他のＰＭＩとの間における相関レベルに基づいて多数のＰＭＩサブセットをフィードバックする多数の端末と、前記多数の端末からフィードバックされた多数のＰＭＩサブセットを隣の基地局と交換し、前記サービング基地局と前記隣の基地局のＰＭＩ使用を調整するサービング基地局と、を含むことを特徴とする。
【００１７】
上述した目的を達成するための本発明の第５見地によると、多重アンテナシステムにおける干渉緩和のための制御情報を転送するための端末動作の方法において、第１プリコーディング行列インデックスそして第２ＰＭＩのうち一つとコードブック内の他のＰＭＩとそれぞれ相互相関（ｃｒｏｓｓ  ｃｏｒｒｅｌａｔｉｏｎ）を計算する過程と、前記相互相関値を昇順に整列する過程と、前記整列された相互相関値のうち少なくとも一つ以上のフィードバックする相互相関値の個数を決定する過程と、前記決定された相互相関値の個数を示す相関レベルを含む干渉緩和のための関連情報をフィードバックする過程と、を含むことを特徴とする。
【００１８】
上述した目的を達成するための本発明の第６見地によると、多重アンテナシステムにおける干渉緩和のための制御情報を転送するためのサービング基地局動作の方法において、少なくとも一つ以上の端末からＰＭＩサブセットの大きさを指示する相関レベルを受信する過程と、前記相関レベルに基づいて推薦されたＰＭＩサブセットそして制限されたＰＭＩサブセットを構成する過程と、前記推薦されたＰＭＩサブセットそして前記制限されたＰＭＩサブセットを隣接基地局に転送し、前記サービング基地局と前記隣接基地局のＰＭＩ使用を調整する過程と、を含むことを特徴とする。
【図面の簡単な説明】
【００１９】
【図１】従来技術によるＭＩＭＯシステムにおいて、セルの縁にある端末が経験するセル間干渉を示す例示図である。
【図２】本発明の実施例による多重アンテナシステムにおいて、干渉緩和のための制御情報を転送するための端末動作のフローチャートである。
【図３】本発明の実施例による多重アンテナシステムにおいて、干渉緩和のための制御情報を転送するためのサービング基地局動作のフローチャートである。
【図４】本発明の実施例による多重アンテナシステムにおいて、干渉緩和のための制御情報を転送するための干渉基地局動作のフローチャートである。
【図５】本発明の実施例による多重アンテナシステムにおいて、干渉緩和のための制御情報を転送するためのフローチャートである。
【図６】最悪のＰＭＩと他のＰＭＩとの間における相関に対する各ＰＭＩのチャンネル電力関係を示すグラフである。
【図７】最良のＰＭＩと他のＰＭＩとの間における相関に対する各ＰＭＩのチャンネル電力関係を示すグラフである。
【図８】最悪のＰＭＩと他のＰＭＩとの間における相関に対する各ＰＭＩの平均チャンネル電力関係を示すグラフである。
【図９】最良のＰＭＩと他のＰＭＩとの間における相関に対する各ＰＭＩの平均チャンネル電力関係を示すグラフである。
【発明を実施するための形態】
【００２０】
以下、本発明の好ましい実施例を、添付した図面を参照して詳細に説明する。そして、本発明を説明するに当たって、関連する公知機能或いは構成に対する具体的な説明が本発明の要旨を不明確にする恐れがあると判断される場合には、その詳細な説明を省略する。そして、後述する用語は本発明における機能を考慮して定義されたものであり、これは使用者、操作者の意図又は慣例などによって異なり得る。従って、その定義は、本明細書全般にかかる内容に基づいて下されるべきである。
【００２１】
以下、本発明は、多重アンテナシステムにおける干渉緩和のための制御情報を転送するための方法及び装置に対して説明する。特に、干渉緩和のためのプリコーディング行列インデックス（Ｐｒｅｃｏｄｉｎｇ  Ｍａｔｒｉｘ  Ｉｎｄｅｘ：以下、「ＰＭＩ」と称する）のフィードバックのための方法及び装置について説明する。
【００２２】
図２は、本発明の実施例による多重アンテナシステムにおいて、干渉緩和のための制御情報を転送するための端末動作のフローチャートを示している。
【００２３】
前記図２を参照すると、端末はステップ２００で基準信号（ｒｅｆｅｒｅｎｃｅ  ｓｉｇｎａｌ）に基づいて支配的な（ｄｏｍｉｎａｎｔ）ダウンリンク干渉チャンネルを測定し、コードブックにある各ＰＭＩ
【００２４】
【数１】
0005570080.tif 000002
に基づいて前記支配的な干渉リンクの可能な干渉電力を計算する。
【００２５】
次に、前記端末はステップ２０２で、前記支配的な干渉リンクの可能な干渉電力から、最悪のＰＭＩ（ｗｏｒｓｔ  ＰＭＩ）或いは最良のＰＭＩ（ｂｅｓｔ  ＰＭＩ）を決定する。例えば、隣接基地局に最も干渉を大きく起こすＰＭＩを最悪のＰＭＩと決定し、隣接基地局への干渉を緩和させるＰＭＩを最良のＰＭＩと決定する。
【００２６】
次に、前記端末はステップ２０４で、決定した最悪のＰＭＩ又は最良のＰＭＩと他のＰＭＩとの相互相関（ｃｒｏｓｓ  ｃｏｒｒｅｌａｔｉｏｎ）をそれぞれ計算する。最悪のＰＭＩ或いは最良のＰＭＩを
【００２７】
【数２】
0005570080.tif 000003
とすると、降順のＮ個異なる相関値
【００２８】
【数３】
0005570080.tif 000004
は、下記＜数５＞のように示すことができる。最悪のＰＭＩ又は最良のＰＭＩと異なるＰＭＩとの間における相関値のうち、少なくとも一つ以上の同じ相関値が存在してもよい。即ち、相関値
【００２９】
【数４】
0005570080.tif 000005
を有するＰＭＩは一つ以上であってもよい。
【００３０】
【数５】
0005570080.tif 000006
ここで、
【００３１】
【数６】
0005570080.tif 000007
は
【００３２】
【数７】
0005570080.tif 000008
とｉ番目ＰＭＩとの間における相関値であり、Ｎはコードブック内のＰＭＩの個数であり、Ｈは共役転置行列（ｃｏｎｊｕｇａｔｅ  ｔｒａｎｓｐｏｓｅ  ｍａｔｒｉｘ）である。この際、Ｍ個の異なる相関値（ｒ１、・・・、ｒＭ）が存在すると仮定する。他のＰＭＩは、最悪或いは最良のＰＭＩの相関と同じ相関を有してもよい。
【００３３】
前記端末は、最悪のＰＭＩ又は最良のＰＭＩと他のＰＭＩとの相関を利用することで、ＰＭＩサブセットフィードバックのオーバーヘッドを減らすことができる。前記端末は、最悪のＰＭＩ又は最良のＰＭＩと他のＰＭＩとの相関とチャンネル電力との間の関係は、下記図６乃至下記図９で説明する。
【００３４】
次に、前記端末はステップ２０６で受信された信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）と他のＰＭＩに関した干渉電力とに基づき、前記端末は隣接基地局に干渉を緩和するＰＭＩを推薦するのか（以下、ＰＭＩ  ｒｅｃｏｍｍｅｎｄａｔｉｏｎと称する）或いは隣接基地局が干渉を起こすＰＭＩを制限するのか（以下、ＰＭＩ  ｒｅｓｔｒｉｃｔｉｏｎと称する）を決定し、その結果を２つのコードワードのうち一つを使用して、フィードバックチャンネルを介してイベントトリガリングフィードバック報告（ｅｖｅｎｔ−ｄｒｉｖｅｎ  ｆｅｅｄｂａｃｋ  ｒｅｐｏｒｔ）としてフィードバックする。例えば、二つのコードワード（ａ、ｂ）で表現される１ビッド指示子がある場合、ａコードワードが伝送されると１になり、ｂコードワードが伝送されると０になる。
【００３５】
例えば、前記端末は隣接基地局から干渉を多く受ける環境ではＰＭＩ  ｒｅｓｔｒｉｃｔｉｏｎを選択し、隣接基地局から干渉緩和が必要な環境ではＰＭＩ  ｒｅｃｏｍｍｅｎｄａｔｉｏｎを選択する。
【００３６】
具現によって、ＰＭＩ  ｒｅｃｏｍｍｅｎｄａｔｉｏｎ或いはＰＭＩ  ｒｅｓｔｒｉｃｔｉｏｎのうち一つの決定された結果は、サービング基地局にフィードバックされる他の関連情報（例：最悪のＰＭＩ或いは最良のＰＭＩ及びＰＭＩサブセットを決定する相関の大きさ（ｃｏｒｒｅｌａｔｉｏｎ  ｌｅｖｅｌ））と共にフィードバックされてもよい。
【００３７】
次に、前記端末はステップ２０８で受信されたＳＩＮＲとターゲットＳＩＮＲに基づき、いかに多くの相関値の量をフィードバックするのかを決定する。言い換えると、降順に整列された相関値（ｒ１、・・・、ｒＭ）のうち、最も干渉を多く起こす相関値を順番に、或いは干渉を大きく緩和させる順に、所定の個数を選択する。
【００３８】
ここで、前記端末は実際の相関値がフィードバックされず、相関の大きさ（１ビットと仮定する）が転送される。例えば、前記端末がＰＭＩ  ｒｅｓｔｒｉｃｔｉｏｎの間、最悪のＰＭＩと他のＰＭＩとの間における降順に整列された相関値（ｒ１、・・・、ｒＭ）のうち、ｒ１に対応するＰＭＩのサブセットのみをフィードバックする場合、制御ビット「１」をフィードバックし、ｒ１とｒ２にそれぞれ対応するＰＭＩサブセットをフィードバックする場合、制御ビット「０」をフィードバックする。具現によって、相関の大きさが２ビットである場合、「００」である場合ｒ１に対応するＰＭＩサブセットがフィードバックされ、「０１」である場合ｒ１、ｒ２にそれぞれ対応するＰＭＩサブセットがフィードバックされ、「１０」である場合ｒ１、ｒ２、ｒ３にそれぞれ対応するＰＭＩサブセットがフィードバックされ、「１１」である場合ｒ１、ｒ２、ｒ３、ｒ４にそれぞれ対応するＰＭＩサブセットが相関の大きさでフィードバックされる。
【００３９】
次に、前記端末はステップ２１０で、干渉緩和のための関連情報、即ち、最悪のＰＭＩ或いは最良のＰＭＩ及びＰＭＩサブセットを決定する相関の大きさ及び前記相関の大きさに対応するＰＭＩサブセットを推薦するのか制限するのかを示す情報ビットをサービング基地局にフィードバックする。前記相関の大きさを介して、いくつかの相関値に対応するＰＭＩサブセットを決定する。例えば、前記相関の大きさが１ビットである場合には２つのＰＭＩサブセットを構成することができ、前記相関の大きさが２ビットである場合には４つのＰＭＩサブセットを構成することができる。
【００４０】
具現によって、前記端末はステップ２０６でＰＭＩ  ｒｅｃｏｍｍｅｎｄａｔｉｏｎを選択した後、最良のＰＭＩ、ＰＭＩサブセットの大きさを決定する相関の大きさだけでなく、最も大きい干渉電力を起こす最悪のＰＭＩをもフィードバックすることができ、そして、推薦されたＰＭＩサブセット（即ち、相関の大きさｒＭに対応するＰＭＩ、或いは相関の大きさｒＭとｒＭ−１に対応するＰＭＩ）を示す追加情報ビット（１ビット）をフィードバックしてもよい。
【００４１】
次に、本発明の手順を終了する。図３は、本発明の実施例による多重アンテナシステムにおいて、干渉緩和のための制御情報を転送するためのサービング基地局動作のフローチャートを示している。
【００４２】
図３を参照すると、前記サービング基地局はステップ３００で、干渉制限及び干渉緩和のための関連情報を端末から受信する。前記関連情報は、最悪のＰＭＩ或いは最良のＰＭＩ及びＰＭＩサブセットを決定する相関の大きさ、前記相関の大きさに対応するＰＭＩサブセットを推薦するのか制限するのかを示す情報などであってもよい。例えば、相関の大きさが「１」である場合、最悪のＰＭＩ或いは最良のＰＭＩとの相関がｒＭであるＰＭＩが制限されるか推薦される。相関の大きさが「０」である場合、最悪のＰＭＩ或いは最良のＰＭＩとの相関がｒＭ及びｒＭ−１であるＰＭＩが制限されるか推薦される。
【００４３】
次に、前記サービング基地局はステップ３０２で、最悪のＰＭＩ或いは最良のＰＭＩ及びＰＭＩサブセットを決定する相関の大きさ、及び前記相関の大きさに対応するＰＭＩサブセットを推薦するのか制限するのかを示す情報などを前記干渉基地局に転送する。具現によって、前記サービング基地局は、最悪のＰＭＩ或いは最良のＰＭＩ及びＰＭＩサブセットを決定する相関の大きさからＰＭＩサブセットを計算し、前記干渉基地局から推薦されたＰＭＩサブセット或いは制限されたＰＭＩサブセットを転送してもよい。前記サービング基地局は相関値とＰＭＩ関係に対する前記端末と同じ情報を有しているため、前記端末からフィードバックされた相関の大きさから該当ＰＭＩサブセットを決定することができる。次に、本発明の手順を終了する。
【００４４】
図４は、本発明の実施例による多重アンテナシステムにおいて、干渉緩和のための制御情報を転送するための干渉基地局動作のフローチャートを示している。
【００４５】
前記図４を参照すると、前記干渉基地局は、ステップ４００でサービング基地局から関連情報（例：最悪のＰＭＩ或いは最良のＰＭＩ及びＰＭＩサブセットを決定する相関の大きさ）を受信する。具現によって、前記干渉基地局は、サービング基地局から制限されるＰＭＩサブセット或いは推薦されるＰＭＩサブセットを直接受信してもよい。
【００４６】
前記干渉基地局は、ステップ４０２でＰＭＩ  ｒｅｓｔｒｉｃｔｉｏｎの間関連情報からＰＭＩサブセットを計算し、前記計算されたＰＭＩサブセットの使用を制限するか、ＰＭＩ  ｒｅｃｏｍｍｅｎｄａｔｉｏｎの間計算されたＰＭＩサブセットを使用する。次に、本発明の手順を終了する。
【００４７】
図５は、本発明の実施例による多重アンテナシステムにおいて、干渉緩和のための制御情報を転送するためのフローチャートを示している。
【００４８】
前記図５を参照すると、端末はステップ５００でサービング基地局及び隣接基地局からそれぞれ基準信号を受信して支配的なダウンリンク干渉チャンネルを測定し、ステップ５０４でコードブックにある全てのＰＭＩに対する干渉電力を計算する。
【００４９】
次に、前記端末はステップ５０６で、前記支配的な干渉リンクの可能な干渉電力から、最悪のＰＭＩ或いは最良のＰＭＩを決定し、決定された最悪のＰＭＩ又は最良のＰＭＩと他のＰＭＩとの相互相関をそれぞれ計算する。
【００５０】
次に、前記端末はステップ５０８で、受信された信号対干渉雑音比と他のＰＭＩに関した干渉電力とに基づき、前記端末は隣接基地局に干渉を緩和するＰＭＩを推薦する（以下、ＰＭＩ  ｒｅｃｏｍｍｅｎｄａｔｉｏｎと称する）のか、或いは隣接基地局が干渉を起こすＰＭＩを制限する（以下、ＰＭＩ  ｒｅｓｔｒｉｃｔｉｏｎと称する）のかを決定し、受信されたＳＩＮＲとターゲットＳＩＮＲに基づいていかに多くの相関値の量をフィードバックするのかを決定する。
【００５１】
次に、前記端末はステップ５１０で、干渉緩和のための関連情報、即ち、最悪のＰＭＩ或いは最良のＰＭＩ及びＰＭＩサブセットを決定する相関の大きさ及び前記相関の大きさに対応するＰＭＩサブセットを推薦するのか制限するのかを示す情報ビットをサービング基地局にフィードバックする。前記相関の大きさを介して、いくつかの相関値に対応するＰＭＩサブセットが決定される。例えば、前記相関の大きさが１ビットである場合には２つのＰＭＩサブセットを構成することができ、前記相関の大きさが２ビットである場合には４つのＰＭＩサブセットを構成することができる。
【００５２】
具現によって、ＰＭＩ  ｒｅｃｏｍｍｅｎｄａｔｉｏｎ或いはＰＭＩ  ｒｅｓｔｒｉｃｔｉｏｎを行うかを決定した後、その結果を２つのコードワードのうち一つを使用して別途のフィードバックチャンネルを介してフィードバックしてもよい。
【００５３】
前記サービング基地局はステップ５１２で、前記端末からフィードバックされた干渉緩和のための関連情報を隣接基地局に伝達する。具現によって、前記サービング基地局は、前記端末からフィードバックされた干渉緩和のための関連情報から推薦されたＰＭＩサブセット或いは制限されたＰＭＩサブセットを決定し、隣接基地局に伝達してもよい。
【００５４】
前記隣接基地局はステップ５１４で、前記サービング基地局から干渉緩和のための関連情報を提供された後、前記関連情報から制限されたＰＭＩサブセット或いは推薦されたＰＭＩサブセットを決定する。
【００５５】
図６は、４つの送信アンテナと２つの受信アンテナの環境において、全１６個のＰＭＩを考慮し、最悪のＰＭＩと他のＰＭＩとの間における相関に対する各ＰＭＩのチャンネル電力関係を示している（ｃｈａｎｎｅｌ  ｒｅａｌｉｚａｔｉｏｎ＝１）。
【００５６】
前記図６を参照すると、横軸は最悪のＰＭＩと他のＰＭＩとの間における相関が増加するにつれて整列されたＰＭＩインデックスであり、縦軸は該当ＰＭＩのチャンネル電力値である。最悪のＰＭＩとＰＭＩ０との間における相関値が
【００５７】
【数８】
0005570080.tif 000009
最悪のＰＭＩとＰＭＩ１との間における相関値が
【００５８】
【数９】
0005570080.tif 000010
最悪のＰＭＩとＰＭＩ１６との間における相関値が
【００５９】
【数１０】
0005570080.tif 000011
であるとすると、
【００６０】
【数１１】
0005570080.tif 000012
となる。
【００６１】
図７は、４つの送信アンテナと２つの受信アンテナの環境において、全１６個のＰＭＩを考慮し、最良のＰＭＩと他のＰＭＩとの間における相関に対する各ＰＭＩのチャンネル電力関係を示している（ｃｈａｎｎｅｌ  ｒｅａｌｉｚａｔｉｏｎ＝１）。
【００６２】
前記図７を参照すると、横軸は最良のＰＭＩと他のＰＭＩとの間における相関が増加するにつれて整列されたＰＭＩインデックスであり、縦軸は該当ＰＭＩのチャンネル電力値である。最良のＰＭＩとＰＭＩ０との間における相関値が
【００６３】
【数１２】
0005570080.tif 000013
最良のＰＭＩとＰＭＩ１との間における相関値が
【００６４】
【数１３】
0005570080.tif 000014
最良のＰＭＩとＰＭＩ１６との間における相関値が
【００６５】
【数１４】
0005570080.tif 000015
であるとすると、
【００６６】
【数１５】
0005570080.tif 000016
となる。
【００６７】
前記図６と前記図７において、最悪のＰＭＩ或いは最良のＰＭＩと他のＰＭＩとの間における相関と他のＰＭＩのチャンネル電力との関係はかえってランダムであることが分かる。これにＰＭＩが制限されるか推薦されるはずのサービング基地局に、制限されたオーバーヘッドをもってＰＭＩをフィードバックすることは難しい。
【００６８】
ｃｈａｎｎｅｌ  ｒｅａｌｉｚａｔｉｏｎｓが１０００である実験環境において、該当チャンネル電力を全て足して平均値を計算すると、図７と図８で相関によるＰＭＩの平均チャンネル電力を示している。
【００６９】
図８は、本発明による最悪のＰＭＩと他のＰＭＩとの間における相関に対する各ＰＭＩの平均チャンネル電力関係を示している（ｃｈａｎｎｅｌ  ｒｅａｌｉｚａｔｉｏｎ＝１０００）。
【００７０】
前記図８を参照すると、平均的に見て、最悪のＰＭＩと他のＰＭＩとの間における相関が増加するにつれ、ＰＭＩに関するチャンネル電力は増加する。前記最悪のＰＭＩと他のＰＭＩとの間における相関が大きいということは、前記他のＰＭＩも最悪のＰＭＩのように隣接基地局に干渉を大きく起こし得るという意味であり、前記最悪のＰＭＩと他のＰＭＩとの間における相関が少ないということは、前記他のＰＭＩは最悪のＰＭＩとは異なって、隣接基地局に干渉を大きく起こさないという意味である。
【００７１】
図９は、本発明による最良のＰＭＩと他のＰＭＩとの間における相関に対する各ＰＭＩの平均チャンネル電力関係を示している（ｃｈａｎｎｅｌ  ｒｅａｌｉｚａｔｉｏｎ＝１０００）。
【００７２】
前記図９を参照すると、平均的に見て、最良のＰＭＩと他のＰＭＩとの間における相関が増加するにつれ、ＰＭＩに関するチャンネル電力は減少する。前記最良のＰＭＩと他のＰＭＩとの間における相関が大きいということは、前記他のＰＭＩも最良のＰＭＩのように隣接基地局への干渉を大きく緩和し得るという意味であり、前記最良のＰＭＩと他のＰＭＩとの間における相関が少ないということは、前記他のＰＭＩは最良のＰＭＩとは異なって、隣接基地局への干渉を大きく緩和することができないという意味である。
【００７３】
たとえ最悪のＰＭＩに大きい相関のため制限されたＰＭＩは小さい干渉電力を有するとしても、そして最良のＰＭＩに大きい相関のため推薦されたＰＭＩが大きい干渉電力を有することができるとしても、本発明では、相関に基づいたＰＭＩフィードバックが平均的に見て考慮される。
【００７４】
最悪のＰＭＩと共に、ＰＭＩ  ｒｅｓｔｒｉｃｔｉｏｎはＰＭＩ  ｒｅｓｔｒｉｃｔｉｏｎ以前の干渉と比べ、一般的にどの程度干渉が減るのかを保障しない。しかし、平均的に見て、最悪のＰＭＩを制限することにより、残りのＰＭＩから平均干渉電力を減らすことができる。最悪のＰＭＩを制限することによって更に性能向上を図るために、追加的な情報もまたフィードバックされてもよい。
【００７５】
平均的に見て、最良のＰＭＩを推薦することはまた、かなり支配的な干渉（ｄｏｍｉｎａｎｔ  ｉｎｔｅｒｆｅｒｅｎｃｅ）を減らすことができる。しかし、干渉基地局が推薦されたＰＭＩを使用するように強要することは難しい可能性かある。なぜならば、これは性能の向上が隣接基地局で起こるためである。従って、ターゲット使用者に許容可能な干渉を起こす一つのＰＭＩサブセットを推薦することがより好ましいといえる。干渉基地局は、自らの基地局で使用される推薦されたＰＭＩサブセットからＰＭＩを選択して使用する。
【００７６】
一方、本発明の詳細な説明では具体的な実施例に関して説明したが、本発明の範囲を逸脱しない範囲内で多様な変形が可能であることはもちろんである。従って、本発明の範囲は、説明された実施例に限って決められてはならず、後述する特許請求の範囲だけでなく、この特許請求の範囲と均等なものによって決められるべきである。
【００７７】
上述したように、多重アンテナシステムにおける最良のＰＭＩ或いは最悪のＰＭＩと他のＰＭＩとの間における相関を利用し、ＰＭＩサブセットをフィードバックすることで、オーバーヘッドを減らすことができるという利点がある。また、最良のＰＭＩ或いは最悪のＰＭＩ以外の他のＰＭＩを転送し、セルの縁にある端末の干渉を効率的に緩和することができる。
【符号の説明】
【００７８】
１００  サービング基地局
１１０  端末
１２０  干渉基地局
【図１】
0005570080.tif 000017
【図２】
0005570080.tif 000018
【図３】
0005570080.tif 000019
【図４】
0005570080.tif 000020
【図５】
0005570080.tif 000021
【図６】
0005570080.tif 000022
【図７】
0005570080.tif 000023
【図８】
0005570080.tif 000024
【図９】
0005570080.tif 000025